(57)【要約】      （修正有）【課題】  冷却液の酸化による劣化を未然に防止することのできる冷却液およびそれを用いた燃料電池冷却システムを提供する。【解決手段】  水とグリコール類とを含有した混合溶液からなり、燃料電池本体２と熱交換器４との間に設けられる循環系３を循環する冷却液において、上記グリコール類の酸化による劣化反応の際に発生する出発物質を除去する酸化防止剤を上記混合溶液に添加するようにした。また、この酸化防止剤を添加した冷却液を燃料電池本体２と、当該燃料電池本体２を通過した冷却液を冷却する熱交換器４と、燃料電池本体２と熱交換器４との間に設けられ、冷却液を循環させる循環ポンプ１２を備える循環系３とを有する燃料電池冷却システムに用いるようにした。【選択図】      図１
2005129384.tif 000002
【特許請求の範囲】
【請求項１】
水とグリコール類とを含有した混合溶液からなり、燃料電池本体（１）と熱交換器（４）との間に設けられる循環系（３）を循環する冷却液において、
上記グリコール類の酸化過程で生成される出発物質を除去する酸化防止剤を上記混合溶液に添加することを特徴とする冷却液。
【請求項２】
上記出発物質がオキシラジカルでなることを特徴とする請求項１に記載の冷却液。
【請求項３】
上記酸化防止剤がフェノール系または、芳香族アミン系物質でなることを特徴とする請求項１に記載の冷却液。
【請求項４】
上記酸化防止剤の添加量が、上記混合溶液に対して５００〔wtppm〕以下でなることを特徴とする請求項１に記載の冷却液。
【請求項５】
燃料電池本体（２）と、当該燃料電池本体（２）を通過した冷却液を冷却する熱交換器（４）と、上記燃料電池本体（２）と熱交換器（４）との間に設けられ上記冷却液を循環させる循環ポンプ（１２）を備える循環系（３）とを有し、水とグリコール類とを含有した混合溶液を上記冷却液として使用する燃料電池冷却システム（１）において、
上記冷却液として、請求項１〜４のいずれか１項に記載の冷却液を用いることを特徴とする燃料電池冷却システム。
【請求項６】
燃料電池本体（２）と、当該燃料電池本体（２）を通過した冷却液を冷却する熱交換器（４）と、上記燃料電池本体（２）と熱交換器（４）との間に設けられ上記冷却液を循環させる循環ポンプ（１２）を備える循環系（３）と、上記熱交換器（４）に接続され上記循環系（３）に供給される冷却液の量を一定量に保つリザーバータンク（１４）とが、それぞれ上記冷却液を流通する流通通路（１１）によって接続され、水とグリコール類とを含有した混合溶液を上記冷却液として使用する燃料電池冷却システム（１）において、
上記冷却液が流通される熱交換器（４）、循環ポンプ（１２）、リザーバータンク（１４）および流通通路（１１）のうち、いずれか一部または全部の内面が、上記グリコール類の酸化過程で生成される出発物質を除去する酸化防止剤が添加されたコート剤によってコーティングされてなることを特徴とする燃料電池冷却システム。
【請求項７】
上記出発物質がオキシラジカルでなることを特徴とする請求項６に記載の燃料電池冷却システム。
【請求項８】
上記酸化防止剤がフェノール系または、芳香族アミン系物質でなることを特徴とする請求項６に記載の燃料電池冷却システム。
【請求項９】
上記酸化防止剤の添加量が、上記コート剤に対して１〔wt％〕以下でなることを特徴とする請求項６に記載の燃料電池冷却システム。
【発明の詳細な説明】
【技術分野】
【０００１】
本発明は、冷却液およびそれを用いた燃料電池冷却システムに関し、とりわけ、燃料電池内を経由して循環する冷却液および当該冷却液を冷却するための燃料電池冷却システムに適用して好適なものである。
【背景技術】
【０００２】
近年、電気自動車の動力源などとして、クリーンでエネルギー効率の優れた燃料電池が注目され、例えば、高分子電解膜型の燃料電池システムが開発されている。このシステムは、スタック内の水素燃料を、高分子電解膜に担持したプロトン触媒の作用でプロトン化し、高分子電解膜を隔てて存在する酸素との共働により電位発生を行うように構成されたものであり、電気化学的に発電する一種の発電機である。
【０００３】
このような燃料電池は、発電の際に発熱して温度が上昇する性質を有する一方、燃料電池には高効率を保つために最適な運転温度がある。このため、上述のような高分子電解膜型の燃料電池は、所定温度（約６５〜７０〔℃〕）の冷却液を供給して、最適な温度範囲（約８０〜８５〔℃〕）で稼働させるための冷却システムが必要となる。
【０００４】
また、燃料電池へ供給される冷却液の導電率は、燃料電池を効率的に稼働させるために、ある一定以上の範囲が必要とされるが、導電率が所定の範囲を超えて上昇すると、冷却液を伝わって漏電（「液絡」という）するなど、燃料電池にとって好ましくない状況が発生する。
【０００５】
そこで、冷却システムに用いられる冷却液には、導電性を低レベルにする（すなわち、導電性をある一定の範囲内に保つ）ため、純水を用いることが一般的に行われてきたが、近年低温環境での凍結防止のためにグリコール類を用いた混合溶液、例えば、エチレングリコールと純水による５０〔％〕混合溶液（ＥＧ５０）等が用いられている。
【０００６】
ここで、図４とともに、従来の熱交換器の構造を簡単に説明する。図４は、従来の燃料電池冷却システムの構成を説明する図である。
【０００７】
燃料電池冷却システム１は、図４に示すように、燃料電池本体２を冷却する冷却液が循環する循環系３を有している。
【０００８】
この循環系３には、燃料電池本体２に冷却液を循環供給する循環流路１１が形成されている。この循環流路１１には、冷却液を循環させる循環ポンプ１２、循環ポンプ１２の下流に冷却液を冷却する熱交換器４を備えている。
【０００９】
また、熱交換器４には、圧力バルブ１３を介してリザーバータンク１４が接続され、前記循環流路１１に供給される冷却液の量を一定量に保つようになされている。
【００１０】
以上のような構成により、燃料電池本体が発電する際に発生する熱を、高効率が保てるように最適な運転温度範囲に冷却している。
【００１１】
なお、この従来の構成における冷却液は、純水とエチレングリコールによる５０〔％〕混合溶液とした、いわゆるＥＧ５０が用いられており、図４中矢印Ａに示す方向に前記循環流路１１内を循環している（例えば、特許文献１参照）。
【特許文献１】特開２００１−１６４２４４号公報
【発明の開示】
【発明が解決しようとする課題】
【００１２】
ところで、上述した従来の構造によれば、冷却液として混合溶液（ＥＧ５０）を用いた場合、冷却システムの使用温度において、エチレングリコールが酸化するということがわかってきた。この冷却液に含まれるエチレングリコールの酸化過程を、式を用いて説明すると以下のようになる。なお、式（１）、式（２）および式（３）におけるＲは有機化合物である。
【００１３】
Ｒ（ＯＨ）２＋ｎＯ２→Ｒ（ＯＨ）（Ｏ・）＋ＯＨ・  ・・・（１）
Ｒ（ＯＨ）（Ｏ・）＋ＯＨ・→〔Ｒ’ＣＨＯ〕      ・・・（２）
〔Ｒ’ＣＨＯ〕＋ｍＯ２→Ｒ’ＣＯ２Ｈ                ・・・（３）
つまり、このように、酸化が進むと最終的には式（３）に示すように脂肪酸等の有機酸が劣化して生成され、これを起因として冷却液が劣化し、導電性を低レベルに保つことが困難となり、結果として導電率が増加してしまうおそれがあった。
【００１４】
かかる問題を解決する１つの手法として、グリコール類自体の酸化による導電率の増加に対しては、封入前のグリコール類に対し窒素パージ等の脱酸素処理を行うことでグリコール類の劣化防止を行い、この脱酸素処理したグリコール類と水との混合溶液からなる基剤に、ほぼ中性の状態を維持する防錆添加物を含有することにより、低導電性、防錆性、高熱伝達性および不凍性を兼ね備える混合溶液を生成し、この混合溶液を冷却液として用いるようにした技術が特許文献１において考案されている。
【００１５】
しかしながら、燃料電池の冷却システムの多くは、熱交換器に圧力開閉バルブが設けられ、リザーブタンクが付帯してなる半密閉系システムであって、完全に空気を遮断することが困難な構造であるため、グリコール類に対する劣化防止対策が窒素パージ等の脱酸素処理のみである上述の特許文献１の技術では、エチレングリコールの酸化劣化を免れるのが難しい上、グリコール用添加剤として金属防食用の材料を用いていることから、エチレングリコール自体の酸化防止には寄与しない未だ不十分な問題がある。
【００１６】
すなわち、かかる特許文献１の技術では、エチレングリコールの使用環境下での酸化劣化を長期抑制することが困難である問題がある。
【００１７】
そこで、本発明は上述した問題点に鑑みてなされたもので、冷却液の酸化による劣化を確実に防止することのできる冷却液およびそれを用いた燃料電池冷却システムを提供するものである。
【課題を解決するための手段】
【００１８】
請求項１にあっては、水とグリコール類とを含有した混合溶液からなり、燃料電池本体と熱交換器との間に設けられる循環系を循環する冷却液において、上記グリコール類の酸化過程で生成される出発物質を除去する酸化防止剤を上記混合溶液に添加するようにした。
【００１９】
請求項２にあっては、請求項１に記載の出発物質がオキシラジカルでなることを特徴としている。
【００２０】
請求項３にあっては、請求項１に記載の酸化防止剤がフェノール系または、芳香族アミン系物質でなることを特徴としている。
【００２１】
請求項４にあっては、請求項１に記載の酸化防止剤の添加量が、上記混合溶液に対して５００〔wtppm〕以下でなることを特徴としている。
【００２２】
請求項５にあっては、燃料電池本体と、当該燃料電池本体を通過した冷却液を冷却する熱交換器と、上記燃料電池本体と熱交換器との間に設けられ上記冷却液を循環させる循環ポンプを備える循環系とを有し、水とグリコール類とを含有した混合溶液を上記冷却液として使用する燃料電池冷却システムにおいて、上記冷却液として、請求項１〜４のいずれか１項に記載の冷却液を用いるようにした。
【００２３】
請求項６にあっては、燃料電池本体と、当該燃料電池本体を通過した冷却液を冷却する熱交換器と、上記燃料電池本体と熱交換器との間に設けられ上記冷却液を循環させる循環ポンプを備える循環系と、上記熱交換器に接続され上記循環系に供給される冷却液の量を一定量に保つリザーバータンクとが、それぞれ上記冷却液を流通する流通通路によって接続され、水とグリコール類とを含有した混合溶液を上記冷却液として使用する燃料電池冷却システムにおいて、上記冷却液を流通する熱交換器、循環ポンプ、リザーバータンクおよび流通通路のうち、いずれか一部または全部の内面が、上記グリコール類の酸化過程で生成される出発物質を除去する酸化防止剤が添加されたコート剤によってコーティングされてなるようにした。
【００２４】
請求項７にあっては、請求項６に記載の出発物質がオキシラジカルでなることを特徴としている。
【００２５】
請求項８にあっては、請求項６に記載の酸化防止剤がフェノール系または、芳香族アミン系物質でなることを特徴としている。
【００２６】
請求項９にあっては、請求項６に記載の酸化防止剤の添加量が、上記コート剤に対して１〔wt％〕以下でなることを特徴としている。
【発明の効果】
【００２７】
請求項１によれば、冷却液として用いる水とグリコール類とを含有した混合溶液に、上記グリコール類の酸化過程で生成される出発物質を除去する酸化防止剤を添加するようにしたことにより、このような冷却水が酸化によって劣化反応する際の反応初期に発生する出発物質が除去されるため、上記酸化過程において以降に生成される中間体や導電率悪化の原因物質である有機酸の発生を抑制することができ、かくして、冷却液の酸化による劣化を確実に防止することのできる冷却液を提供することができる。
【００２８】
請求項２によれば、請求項１に記載の出発物質がオキシラジカルでなることにより、グリコール類の酸化によって劣化反応する際に発生する中間体としてのアルデヒドを除去することができ、グリコール類の酸化過程において以降に生成される導電率悪化の原因物質である有機酸の発生を抑制することができるため、冷却液の酸化による劣化を確実に防止することができる。
【００２９】
請求項３によれば、請求項１に記載の酸化防止剤がフェノール系または、芳香族アミン系物質でなることにより、いずれも冷却液中に溶解して電離した際の導電率への寄与を抑えることができ、とりわけフェノール系物質でなる酸化防止剤は、冷却液中で電離した際の導電率への寄与が少なく、かつ、グリコール類に対する溶解性に優れるため、冷却液における導電率の悪化を抑制することができる。
【００３０】
請求項４によれば、請求項１に記載の酸化防止剤の添加量が、上記混合溶液に対して５００〔wtppm〕以下でなることにより、酸化防止剤が冷却液中に溶解して電離した際の導電率への寄与を抑えることができ、冷却液における導電率の悪化を実用上十分に抑制することができる。
【００３１】
請求項５によれば、燃料電池本体と、当該燃料電池本体を通過した冷却液を冷却する熱交換器と、上記燃料電池本体と熱交換器との間に設けられ上記冷却液を循環させる循環ポンプを備える循環系とを有し、水とグリコール類とを含有した混合溶液を上記冷却液として使用する燃料電池冷却システムにおいて、冷却液として、請求項１〜４のいずれか１項に記載の冷却液を用いるようにしたことにより、このような冷却水が酸化によって劣化反応する際の反応初期に発生する出発物質が除去されるため、上記酸化過程において以降に生成される中間体や導電率悪化の原因物質である有機酸の発生を抑制することができ、かくして、冷却液の酸化による劣化を確実に防止することのできる燃料電池冷却システムを提供することができる。
【００３２】
請求項６によれば、水とグリコール類とを含有した混合溶液を冷却液として使用する燃料電池冷却システムにおいて、上記冷却液を流通する熱交換器、循環ポンプ、リザーバータンクおよび流通通路のうち、いずれか一部または全部の内面が、上記グリコール類の酸化過程で生成される出発物質を除去する酸化防止剤が添加されたコート剤によってコーティングされてなるようにしたことにより、このような冷却水が酸化によって劣化反応する際の反応初期に発生する出発物質が除去されるため、上記酸化過程において以降に生成される中間体や導電率悪化の原因物質である有機酸の発生を抑制することができ、かくして、冷却液の酸化による劣化を確実に防止することのできる燃料電池冷却システムを提供するを提供することができる。
【００３３】
しかも、この場合、コート剤に酸化防止剤を添加することによって、酸化防止剤が余分に冷却液へ溶出することを抑制して、冷却液の酸化防止効果を持続することができるため、冷却液の劣化防止効果を長期間に渉って維持することができる。
【００３４】
請求項７によれば、請求項６に記載の出発物質がオキシラジカルでなることにより、グリコール類の酸化によって劣化反応する際に発生する中間体としてのアルデヒドを除去することができ、グリコール類の酸化過程において以降に生成される導電率悪化の原因物質である有機酸の発生を抑制することができるため、冷却液の酸化による劣化を確実に防止することができる。
【００３５】
請求項８によれば、請求項６に記載の酸化防止剤がフェノール系または、芳香族アミン系物質でなることにより、いずれも冷却液中に溶解して電離した際の導電率への寄与を抑えることができ、とりわけフェノール系物質でなる酸化防止剤は、冷却液中で電離した際の導電率への寄与が少なく、かつ、グリコール類に対する溶解性に優れるため、冷却液における導電率の悪化を抑制することができる。
【００３６】
請求項９によれば、請求項６に記載の酸化防止剤の添加量が、上記コート剤に対して１〔wt％〕以下でなることにより、酸化防止剤が冷却液中に溶解して電離した際の導電率への寄与を抑えることができ、冷却液における導電率の悪化を実用上十分に抑制することができる。
【発明を実施するための最良の形態】
【００３７】
以下、本発明の一実施形態について図面に基づき詳述する。
【００３８】
図１〜図３は、本発明にかかる冷却液を用いた燃料電池冷却システムの一実施形態を示し、図１は本発明を適用した燃料電池冷却システムを概略的に示す構成図、図２は図１の冷却液の酸化防止剤添加による導電率への影響を示すグラフ、図３は図１の冷却液の酸化防止剤添加による酸化防止効果を示すグラフである。
【００３９】
図４との対応部分に同一符号を付した図１において、１は本実施形態における燃料電池冷却システムを示し、燃料電池本体２を冷却する冷却液が循環する循環系３を有している。
【００４０】
この循環系３には、燃料電池本体２に冷却液を循環供給する流通流路としての循環流路１１が形成されており、この循環流路１１は、冷却液を矢印Ａ方向に循環させる循環ポンプ１２と、当該循環ポンプ１２の下流に設けられ冷却液を冷却する熱交換器４とを備えている。
【００４１】
この熱交換器４には、図示省略する圧力バルブを介してリザーバータンク１４が接続されている。そして、前記循環流路１１に供給される冷却液の量が一定量を越えた場合、圧力バルブが解放されて矢印Ｂに示すように余剰な冷却液がリザーバータンク１４に送られ、循環流路１１に供給される冷却液の量を一定量に保つようになされている。
【００４２】
なお、この熱交換器４は、自動車などで使用されるような波形のコルゲートフィンを備えた積層型の熱交換器を、燃料電池冷却システム用に改良したものが用いられている。
【００４３】
また、本実施形態の燃料電池本体２に収容された燃料電池は、例えば、ＰＥＭ（Proton  Exchange  Membrane）型の燃料電池であり、電解膜を挟んで酸素極および水素極などから構成される電極構造体（ＭＥＡ：Membrane  Electrode  Assembly）をセパレータでさらに挟み込んだ単セルを、２００枚程度積層した積層構造を有している。各セパレータには冷却液の流通流路が設けられており、燃料電池を冷却して適切な温度で運転できるようにしている。
【００４４】
ここで、以上説明した燃料電池冷却システム１における冷却サイクルについて説明する。燃料電池冷却システム１が起動すると、循環系３の循環ポンプ１２が始動する。すると循環系３に冷却液が循環を開始し、燃料電池本体２で発生した熱は、冷却液、熱交換器４の順に伝達され外気に放散される。
【００４５】
なお、このとき、循環系３に図示省略する温度調節器を設け、熱交換器４を通流した冷却液を一定温度範囲（例えば、８０〔℃〕前後）に温度調節して燃料電池本体２へ供給し、燃料電池本体２の効率を高めている。
【００４６】
また、このような燃料電池冷却システム１では、循環系３を循環する冷却液が、プロトン触媒に直接接触するため、触媒被毒の観点から、金属等のイオンの冷却液中への混入を抑制することが要望されており、循環系３の循環流路１１を形成する金属配管や、循環系３に設けられる熱交換器４等の機器類を、耐蝕性のある材料、例えばステンレス鋼、樹脂材料、樹脂ライニング金属材料（内部を樹脂材料でコーティングしたアルミ材料等）などで構成して、金属等のイオンの冷却液中への混入を抑制している。
【００４７】
この実施形態の場合、冷却液は、純水にグリコール類であるエチレングリコールを混合させた５０〔％〕混合溶液のいわゆるＥＧ５０に対し、前記エチレングリコールの酸化過程で生成される出発物質としてのオキシラジカルを除去する酸化防止剤（ラジカル捕捉剤）を添加したものが用いられている。
【００４８】
このとき、酸化防止剤としては、アニリン誘導体、キノリン誘導体または、イミダゾール誘導体などの芳香族アミン系物質や、フェノール系物質が用いられている。
【００４９】
これら芳香族アミン系物質またはフェノール系物質は、いずれも冷却液中に溶解して電離した際の導電率への寄与を抑えることができる効果があり、とりわけ、フェノール系物質は、冷却液中で電離した際の導電率への寄与が少なく、かつ、エチレングリコールに対する溶解性に優れ、冷却液における導電率の悪化を抑制することができるため、酸化防止剤に用いる物質として好ましい。
【００５０】
また、このフェノール系物質としては、ジターシャリブチルクレゾール（ＢＨＴ）、ハイドロキノン、メトキシフェノール、ジターシャリブチルハイドロキノン（ＢＨＱ）、メチレンビス、メチルターシャリーブチルフェノール（ＭＢＰ）などのヒンダードフェノール系が望ましい。
【００５１】
そして、この酸化防止剤の添加量は、図２および図３から見て明らかなように、導電率への寄与の観点から５００〔wtppm〕以下で用いられるのが好ましい。
【００５２】
ここで、以上説明した燃料電池冷却システム１に用いる冷却液の酸化による劣化防止サイクルを説明する。上述のように燃料電池冷却システム１が起動すると、循環系３の循環ポンプ１２が始動する。すると、循環系３に冷却液が循環を開始する。このとき、冷却液が添加される酸化防止剤によって、上述の式（１）に示されるエチレングリコールの酸化過程で生成される出発物質としてのオキシラジカルＲ（ＯＨ）（Ｏ・）＋ＯＨ・を除去して、この酸化過程において以降に生成される中間体としてのアルデヒド〔Ｒ’ＣＨＯ〕や、導電率悪化の原因物質である脂肪酸等の有機酸Ｒ’ＣＯ２Ｈの発生を抑制し、冷却液の酸化による劣化を確実に防止する。
【００５３】
以上、説明したように本実施形態の冷却液およびそれを用いた燃料電池冷却システム１によれば、冷却液として用いる純水とエチレングリコールとを含有した混合溶液に、エチレングリコールの酸化過程で生成される出発物質のオキシラジカルを除去する酸化防止剤を添加するようにしたことにより、このような冷却水が酸化によって劣化反応する際の反応初期に発生するオキシラジカルが除去されるため、前記酸化過程において以降に生成される中間体のアルデヒドや、導電率悪化の原因物質である有機酸の発生を抑制することができ、かくして、冷却液の酸化による劣化を確実に防止することができる。
【００５４】
また、酸化防止剤がフェノール系または、芳香族アミン系物質でなることにより、いずれも冷却液中に溶解して電離した際の導電率への寄与を抑えることができ、とりわけフェノール系物質でなる酸化防止剤は、冷却液中で電離した際の導電率への寄与が少なく、かつ、エチレングリコールに対する溶解性に優れるため、冷却液における導電率の悪化を抑制することができる。
【００５５】
さらに、酸化防止剤の添加量が、前記混合溶液に対して５００〔wtppm〕以下でなることにより、酸化防止剤が冷却液中に溶解して電離した際の導電率への寄与を抑えることができ、冷却液における導電率の悪化を実用上十分に抑制することができる。
【００５６】
また、このように冷却液に対して酸化防止剤を添加するだけなので、既存の冷却システムの構成を変更することなく、容易に目的を達成することができる
なお、本発明の冷却液およびそれを用いた燃料電池冷却システムとして上述した実施形態を例に取って説明したが、本発明はこれに限ることなく、本発明の要旨を逸脱しない範囲で各種実施形態を採用することができる。
【００５７】
例えば、冷却液を流通する熱交換器４、循環ポンプ１２、リザーバータンク１４および循環流路１１のうち、いずれか一部または全部の内面が、グリコール類としてのエチレングリコールの酸化過程で生成される出発物質であるオキシラジカルを除去する酸化防止剤が添加されたコート剤によってコーティングされてなるようにしてもよい。
【００５８】
この場合、このような冷却水が酸化によって劣化反応する際の反応初期に発生する出発物質のオキシラジカルが除去されるため、前記酸化過程において以降に生成される中間体としてのアルデヒドや、導電率悪化の原因物質である有機酸の発生を抑制することができ、かくして、冷却液の酸化による劣化を確実に防止し得る利点を得ることができる。
【００５９】
しかも、この場合、コート剤に酸化防止剤を添加することによって、酸化防止剤が余分に冷却液へ溶出することを抑制して、冷却液の酸化防止効果を持続することができるため、冷却液の劣化防止効果を長期間に渉って維持することができる利点もある。
【００６０】
さらに、コート剤に添加された酸化防止剤がフェノール系または、芳香族アミン系物質でなることにより、いずれも冷却液中に溶解して電離した際の導電率への寄与を抑えることができ、とりわけフェノール系物質でなる酸化防止剤は、冷却液中で電離した際の導電率への寄与が少なく、かつ、グリコール類に対する溶解性に優れるため、冷却液における導電率の悪化を抑制することができる。
【００６１】
これに加えて、酸化防止剤の添加量を、コート剤に対して１〔wt％〕以下でなるようにすることにより、酸化防止剤が冷却液中に溶解して電離した際の導電率への寄与を抑えることができ、冷却液における導電率の悪化を実用上十分に抑制することができる。
【図面の簡単な説明】
【００６２】
【図１】本発明の一実施形態による燃料電池冷却システムを概略的に示す構成図である。
【図２】図１の冷却液の酸化防止剤添加による導電率への影響を示すグラフである。
【図３】図１の冷却液の酸化防止剤添加による酸化防止効果を示すグラフである。
【図４】従来の燃料電池冷却システムを概略的に示す構成図である。
【符号の説明】
【００６３】
１  燃料電池冷却システム
２  燃料電池本体
３  循環系
４  熱交換器
１１  循環流路（流通流路）
１２  循環ポンプ
１４  リザーバータンク
【図１】
2005129384.tif 000003
【図２】
2005129384.tif 000004
【図３】
2005129384.tif 000005
【図４】
2005129384.tif 000006